(57)【要約】【課題】  番組情報を表示する際に、一定期間の最新の番組情報を取得できていない場合にも、該当エリアに番組表の表示ができるようにする。【解決手段】  放送番組を任意のフォーマットに従って画面上に一覧表示する放送番組表示方法であって、取得した放送番組情報のデータをチェックする過程（７−００１）と、取得したデータのうち最新のデータがあるときには番組情報の描画を行う過程（７−００２，００４）と、最新のデータがないときには以前取得した古いデータを用いて番組情報の描画を行う過程（７−００３，００４）とを含む。これにより、最新のデータが取得できていない個所は過去の取得されたデータを用いて表示することができる。【選択図】  図１
2005269157.tif 000002
【特許請求の範囲】
【請求項１】
放送番組を任意のフォーマットに従って画面上に一覧表示する放送番組表示方法であって、取得した放送番組情報のデータをチェックする過程と、取得したデータのうち最新のデータがあるときには番組情報の描画を行う過程と、最新のデータがないときには以前取得した古いデータを用いて番組情報の描画を行う過程とを含む放送番組表示方法。
【請求項２】
古いデータを用いて番組情報の描画を行う際、古いデータの描画を最新のデータの描画とは異なる背景色で行う過程を含む請求項１記載の放送番組表示方法。
【請求項３】
放送番組情報のデータの鮮度を定めるしきい値に基づいて、古いデータの鮮度を判断する過程と、古いデータを鮮度に応じて異なる背景色で描画する過程とを含む請求項２記載の放送番組表示方法。
【発明の詳細な説明】
【技術分野】
【０００１】
この発明は、放送電波に含まれる放送番組の表示方法に関し、特にディジタルＴＶにおける電子番組表示等として用いられる放送番組表示方法に関するものである。
【背景技術】
【０００２】
テレビ受像機による放送の受信は、従来の地上波によるアナログ放送だけではなく、衛星放送（ＢＳ（Broadcast Satellite）・ＣＳ（Communication Satellite））放送、ＣＡＴＶ（Cable Television）を利用したディジタル放送などのものがある。ＢＳ・ＣＳ放送などのディジタル放送によって、より多くの情報が送信できるようになったことに伴って、番組の多チャンネル化が進み、電子番組ガイド（Electronic Program Guide）が一般的に普及している。一般的な電子番組ガイドの番組情報は映像、音声と同様に伝送チャンネルに割り当てて常に送信されている。放送局から送信されるＥＰＧ情報を受信し、テレビ受像機の画面に表示する方式、ＯＳＤ（On Screen Display）が実用化され、リアルタイムな番組情報を入手することが可能である。ＥＰＧのＯＳＤでは例えば図２のように番組がチャンネル毎に且つ時間帯毎に表となって２次元的に表示される。しかし全てのチャンネル・時間帯の番組情報を１つの画面に同時に表示することは表示情報の量と画面に表示可能な文字数等の関係から実質不可能である為に、表示内容を左右及び上下にスクロールして表示する構成が一般的である。ＥＰＧは放送局などのデータ送出側で作成され、受信側では衛星経由からダウンロードし、記憶装置に記憶して表示している（例えば、特許文献１参照）。
【特許文献１】特開２００１−４５３９７号公報
【発明の開示】
【発明が解決しようとする課題】
【０００３】
しかしながら従来技術で説明したＥＰＧ情報を一覧表示する場合、一定期間の番組に関する情報が全て受信できていない場合、番組表として表示しようとすると、最新のデータの取得ができてない個所は番組表に何も情報表示ができない場合がある課題があった（図２参照）。
【０００４】
したがって、この発明の目的は、上記課題に鑑みてなされたものであり、放送番組を一覧表示することができる機器において、番組情報を表示する際に、一定期間の最新の番組情報を取得できていない場合にも、該当エリアに番組表の表示ができ、さらに詳しくは放送番組の表示に最新のデータとそうでないデータとを比較できる識別性を持たせるようにして、どこがまだ古いデータが残っているのかを分かりやすくする放送番組表示方法を提供することである。
【課題を解決するための手段】
【０００５】
上記課題を解決するために、この発明の請求項１記載の放送番組表示方法は、放送番組を任意のフォーマットに従って画面上に一覧表示する放送番組表示方法であって、取得した放送番組情報のデータをチェックする過程と、取得したデータのうち最新のデータがあるときには番組情報の描画を行う過程と、最新のデータがないときには以前取得した古いデータを用いて番組情報の描画を行う過程とを含む。
【０００６】
請求項２記載の放送番組表示方法は、請求項１記載の放送番組表示方法において、古いデータを用いて番組情報の描画を行う際、古いデータの描画を最新のデータの描画とは異なる背景色で行う過程を含む。
【０００７】
請求項３記載の放送番組表示方法は、請求項２記載の放送番組表示方法において、放送番組情報のデータの鮮度を定めるしきい値に基づいて、古いデータの鮮度を判断する過程と、古いデータを鮮度に応じて異なる背景色で描画する過程とを含む。
【発明の効果】
【０００８】
この発明の請求項１記載の放送番組表示方法によれば、取得した放送番組情報のデータをチェックする過程と、取得したデータのうち最新のデータがあるときには番組情報の描画を行う過程と、最新のデータがないときには以前取得した古いデータを用いて番組情報の描画を行う過程とを含むので、最新のデータが取得できていない個所は過去の取得されたデータを用いて表示することができる。このように取得できなかったデータを過去のデータに置き換えるため、電子番組表の歯抜け表示を防ぐことができる効果がある。
【０００９】
請求項２では、古いデータを用いて番組情報の描画を行う際、古いデータの描画を最新のデータの描画とは異なる背景色で行う過程を含むので、過去に取得されたデータを表示する際、視聴者にそれが最新のデータでないことを知らせる為にそれに対応する領域の背景色を変えて表示できる。このように古いデータを用いたところの背景色が変わっている為に、視聴者に対して視覚的に明示させることができる効果がある。
【００１０】
請求項３では、放送番組情報のデータの鮮度を定めるしきい値に基づいて、古いデータの鮮度を判断する過程と、古いデータを鮮度に応じて異なる背景色で描画する過程とを含むので、最新データの取得開始時間から一定のしきい値を設定し、過去のデータを用いる際、どれくらい古いデータであるかをしきい値から求めて、それを元に背景色を変えて表示できる。このようにしきい値を用いて最新のデータからどれくらい古いデータであるか都度背景色を変えることによって視聴者に対して、視覚的に明示させることができる効果がある。
【発明を実施するための最良の形態】
【００１１】
この発明の第１の実施の形態を図１〜図４に基づいて説明する。図１は本発明の第１の実施形態による番組表示方法を示すフローチャート、図２は最新データを取得できなかった時に表示される電子番組表を示す概念図、図３は本発明の第１の実施形態において古いデータを埋め合わせした電子番組表の概念図である。
【００１２】
本実施形態では、図２のように最新データで更新されず歯抜けのようなＥＰＧ画面が表示された場合の番組表示方法である。すなわち、図１に示すように、放送番組を任意のフォーマットに従って画面上に一覧表示する際、取得した放送番組情報のデータをチェックする過程（７−００１）と、取得したデータのうち最新のデータがあるときには番組情報の描画を行う過程（７−００２，００４）と、最新のデータがないときには以前取得した古いデータを用いて番組情報の描画を行う過程（７−００３，００４）とを含む。
【００１３】
この場合、先ず７−００１において、番組情報のデータをチェックする。次に７−００２において最新のデータが取得されているかどうかの判定を行う。最新のデータがある場合には７−００４において番組情報の描画を行い、７−００５において全ての番組情報の描画が終了しているかどうかの判定を行い、終わっていれば終了し、終わっていなければ７−００６の次の番組データをチェックするためのパラメータセットを行って７−００１に戻る。７−００２において最新のデータが無かった場合には、７−００３において古いデータがあるどうかのチェックを行う。古いデータがある場合には７−００４において古いデータを用いて番組情報の描画を行い、７−００５に進む。７−００３において古いデータが無かった場合は、背景色だけの描画のまま何も描画を行わずに７−００５に進む。このような実施形態１にすれば、最新のデータが全て揃っていない場合においてもＥＰＧ描画を行うことができる。具体的には、図２において、２−００１は最新データで更新された電子番組、２−００２は最新データが無く更新されなかった電子番組であり、図３において、３−００１は古いデータで埋め合わせた電子番組である。このように、描画のない電子番組２−００２が古いデータの描画を行った電子番組３−００１により埋め合わされる。
【００１４】
図４は本発明の実施形態における放送番組表示装置の概念図である。図４に示すように、放送番組受信部１、放送表示制御部１、操作部３および表示部４で構成される。
【００１５】
この発明の第２の実施の形態を図５および図６に基づいて説明する。図５は本発明の第２の実施形態による番組表示方法を示すフローチャート、図６は本発明の第２の実施形態において古いデータを埋め合わせし、背景色を変えた電子番組表の概念図である。
【００１６】
本実施形態でも、図２のように最新データで更新されず歯抜けのようなＥＰＧ画面が表示された場合の番組表示方法である。すなわち、図５に示すように、第１の実施形態において、古いデータを用いて番組情報の描画を行う際、古いデータの描画を最新のデータの描画とは異なる背景色で行う過程（８−００４）を含む。
【００１７】
この場合、先ず８−００１において、番組情報のデータをチェックする。次に８−００２において最新のデータが取得されているかどうかの判定を行う。最新のデータがある場合には８−００５において番組情報の描画を行い、８−００６において全ての番組情報の描画が終了しているかどうかの判定を行い、終わっていれば終了し、終わっていなければ８−００７において次の番組データをチェックするためのパラメータセットを行って８−００１に戻る。８−００２において最新のデータが無かった場合には最新データで更新されず歯抜けのようなＥＰＧ画面が表示される為（図２参照）、８−００３において古いデータがあるかどうかのチェックを行う。古いデータがある場合には８−００４において古いデータであることを示す任意の背景色を描画する。なお背景色はユーザーが設定できたり、放送番組表示装置が自動的に色を設定したりできるものとする。次に８−００５において古いデータを用いて番組情報の描画を行い、８−００６に進む。８−００３において古いデータが無かった場合は、何も描画を行わずに８−００６に進む。このように実施形態２にすれば、古いデータを用いる場合でも、視覚的に古いデータを使用していることをユーザーに明示することができる。具体的には、図６において、４−００１は古いデータで埋め合わせた電子番組である。このように、描画のない電子番組２−００２が古いデータの描画を任意の背景色で行った電子番組４−００１により埋め合わされる。
【００１８】
この発明の第３の実施の形態を図７〜図９に基づいて説明する。図７は本発明の第３の実施形態による番組表示方法を示すフローチャート、図８は最新データを取得できなかった時に表示される電子番組表を示す概念図、図９は本発明の第３の実施形態において古いデータを埋め合わせし、鮮度によって背景色を変えた電子番組表の概念図である。
【００１９】
本実施形態では、図８のように最新のデータが取得できない個所が２箇所発生しており、５−００１，５−００２のように古いデータが存在するが互いの鮮度は違う状態であった場合の番組表示方法である。すなわち、第１、２の実施形態において、放送番組情報のデータの鮮度を定めるしきい値に基づいて、古いデータの鮮度を判断する過程（９−００８）と、古いデータを鮮度に応じて異なる背景色で描画する過程（９−００９）とを含む。
【００２０】
この場合、先ず９−００１において最新のデータからの鮮度判定の為にしきい値を設定する。このしきい値は、古いデータの取得時間と現在時刻からの差分から鮮度レベルを決定するために用いる。しきい値の設定は、例えば現在時刻から１分おき、１時間単位、あるいは一日単位など任意に鮮度レベルを設定ができるものとする。次に９−００２において、番組情報のデータチェックを行い、９−００３において最新のデータが取得されているかどうかの判定を行う。最新のデータがある場合には９−００４において番組情報の描画を行い、９−００５において全ての番組情報の描画が終了しているかどうかの判定を行う。終わっていれば終了し、終わっていなければ９−００６において次の番組データをチェックするためのパラメータセットを行って９−００１に戻る。９−００３において最新のデータが無かった場合には、９−００７において古いデータがあるかどうかのチェックを行う。古いデータがある場合には９−００８において設定されたしきい値から鮮度レベルを決定し、レベルに応じた背景色を決定し、９−００９において背景色の描画を行う。次に９−００４において古いデータを用いて番組情報の描画を行い、９−００５に進む。９−００７において古いデータが無かった場合は、何も描画を行わずに９−００５に進む。このように実施の形態３にすれば古いデータを用いる場合でも、最新のデータからどれくらい古いデータを用いているかまでユーザーに明示することができる。具体的には、図８において、５−００１は最新データが無く更新されなかった電子番組（但し古いデータ（１０分前）がある状態）、５−００２は最新データが無く更新されなかった電子番組（但し古いデータ（２０分前）がある状態）であり、図９において、６−００１は古いデータで埋め合わせを行い古いデータの鮮度によって異なる背景色が変わった電子番組である。このように、描画のない電子番組５−００１，００２が古いデータの描画を鮮度によって異なる背景色で行った電子番組６−００１により埋め合わされる。
【産業上の利用可能性】
【００２１】
本発明に係る放送番組表示方法は、取得できなかったデータを過去のデータに置き換えるため、電子番組表の歯抜け表示を防ぐことができる等の効果があり、ディジタルＴＶにおける電子番組表示等として有用である。
【図面の簡単な説明】
【００２２】
【図１】本発明の第１の実施形態による番組表示方法を示すフローチャートである。
【図２】最新データを取得できなかった時に表示される電子番組表を示す概念図である。
【図３】本発明の第１の実施形態において古いデータを埋め合わせした電子番組表の概念図である。
【図４】本発明の実施形態における放送番組表示装置の概念図である。
【図５】本発明の第２の実施形態による番組表示方法を示すフローチャートである。
【図６】本発明の第２の実施形態において古いデータを埋め合わせし、背景色を変えた電子番組表の概念図である。
【図７】本発明の第３の実施形態による番組表示方法を示すフローチャートである。
【図８】最新データを取得できなかった時に表示される電子番組表を示す概念図である。
【図９】本発明の第３の実施形態において古いデータを埋め合わせし、鮮度によって背景色を変えた電子番組表の概念図である。
【符号の説明】
【００２３】
２−００１  最新データで更新された電子番組
２−００２  最新データが無く更新されなかった電子番組（歯抜け）
３−００１  古いデータで埋め合わせを行った電子番組
４−００１  古いデータで埋め合わせを行い背景色が変わった電子番組表
５−００１  最新のデータが無く更新されたデータ番組（但し古いデータ（１０分前）がある状態）
５−００２  最新のデータが無く更新されたデータ番組（但し古いデータ（２０分前）がある状態）
６−００１  古いデータで埋め合わせを行い古いデータの鮮度によって異なる背景色が変わった電子番組表
【図１】
2005269157.tif 000003
【図２】
2005269157.tif 000004
【図３】
2005269157.tif 000005
【図４】
2005269157.tif 000006
【図５】
2005269157.tif 000007
【図６】
2005269157.tif 000008
【図７】
2005269157.tif 000009
【図８】
2005269157.tif 000010
【図９】
2005269157.tif 000011